(57)【特許請求の範囲】
【請求項１】
パチンコ台(1)を遊技機設置用設備(2)に取り付けて構成されるパチンコゲーム機用の球還元機(K)であって、 
ケース本体(3)の上部に球回収部(34)を有し、
前記ケース本体(3)内には、回収した球を整列させて球揚げ手段(4)に送る球整列部(36)が設けてあり、
前記球回収部(34)は、前記パチンコ台(1)の排出口(10)から出る球または落下して出る球を受ける可動球受部(35)を備え、該可動球受部(35)は前記ケース本体(3)から延出し角度調節可能に取り付けられており、
前記球揚げ手段(4)は、球揚げケース(41)を備え、該球揚げケース(41)には、周面に嵌合凹部(415)が複数形成してありモーター(5)によって駆動される球揚げローター(410)が収容されており、
前記球整列部(36)は、回収した球の重量が加わると動いてスイッチ手段(37)を作動させるよう構成され、該スイッチ手段(37)の作動により前記モーター(5)は作動するものであり、
前記球揚げケース(41)は、前記球揚げローター(410)の周縁部に沿う円弧状に形成してある幅壁(413)を有し、
該幅壁(413)と前記球整列部(36)の間には、前記球揚げローター(410)による球の噛み込み防止のための逃げ部(416)が設けてあり、該逃げ部(416)は下方に回動する逃げ片(417)を備えている、
パチンコゲーム機用球還元機。
【請求項２】
請求項１記載のパチンコゲーム機用球還元機(K)を備えている、
パチンコゲーム機。
【発明の詳細な説明】
【技術分野】
【０００１】
本発明はパチンコゲーム機用球還元機及びそれを備えたパチンコゲーム機に関する。
更に詳しくは、パチンコゲーム機の外観を良好にしたもの関する。また、パチンコ台を遊技機設置用設備に取り付けて構成されるパチンコゲーム機において使用されるパチンコゲーム機用球還元機であって、このパチンコゲーム機用球還元機がパチンコ台と無関係に前以て製作することができ、設置も簡単にできるようにしたものに関する。
【背景技術】
【０００２】
従来、遊園地やゲームセンター等にあるパチンコゲーム機は、パチンコ台を専用の筐体に取り付けて構成されている。このタイプのパチンコゲーム機は、パチンコ台の上皿と下皿に蓋をして遊戯者が直接球に触れることができないようにしてあり、球は筐体内に設けた球還元機によって上部の球補給部へ揚げられてパチンコ台を循環するようにしてある。
このようなパチンコゲーム機としては、例えば、特許文献１に示すものが知られている。
【０００３】
【特許文献１】特開２００２−３０６８１５号公報
【発明の開示】
【発明が解決しようとする課題】
【０００４】
しかし、前記した特許文献１に示すパチンコゲーム機には、次のような課題があった。
前記したパチンコゲーム機では、パチンコ台の下皿の底部に穴を開けて、この穴に管状の循環通路の一端を接続し、筐体内に設置した還元機にこの循環通路の他端を接続することで、下皿に払い出されたパチンコ球が循環通路を通って還元機に送られる構造を有している。つまり、循環通路で繋がれており、その循環通路が表側に表れてしまっており、外観が見苦しかった。
【０００５】
また、前記したパチンコゲーム機の場合では、既に述べたように球を還元機に送るための循環通路を筐体の内外を貫通するよう設ける加工が必要であり、パチンコ台と還元機が一体になるよう製作しなければならず、加工に多大な手間を要していた。そのため製作後にパチンコ台を別機種に取り替えて新装するといったことは殆ど行われていなかった。
【０００６】
本発明の目的は、パチンコゲーム機の外観を良好にすることにある。
また、本発明の他の目的は、パチンコ台を筐体等の遊技機設置用設備に取り付けて構成されるパチンコゲーム機において、パチンコゲーム機用球還元機がパチンコ台と無関係に前以て製作することができ、これによりパチンコ台とパチンコゲーム機用球還元機が別々に簡単に設置できるようにすることにある。
【課題を解決するための手段】
【０００７】
前記目的を達成するために本発明が講じた手段は次のとおりである。
第１の発明にあっては、
パチンコ台を遊技機設置用設備に取り付けて構成されるパチンコゲーム機用の球還元機であって、  
ケース本体の上部に球回収部を有し、
前記ケース本体内には、回収した球を整列させて球揚げ手段に送る球整列部が設けてあり、
前記球回収部は、前記パチンコ台の排出口から出る球または落下して出る球を受ける可動球受部を備え、該可動球受部は前記ケース本体から延出し角度調節可能に取り付けられており、
前記球揚げ手段は、球揚げケースを備え、該球揚げケースには、周面に嵌合凹部が複数形成してありモーターによって駆動される球揚げローターが収容されており、
前記球整列部は、回収した球の重量が加わると動いてスイッチ手段を作動させるよう構成され、該スイッチ手段の作動により前記モーターは作動するものであり、
前記球揚げケースは、前記球揚げローターの周縁部に沿う円弧状に形成してある幅壁を有し、
該幅壁と前記球整列部の間には、前記球揚げローターによる球の噛み込み防止のための逃げ部が設けてあり、該逃げ部は下方に回動する逃げ片を備えている、
パチンコゲーム機用球還元機である。
【０００８】
第２の発明にあっては、
第１の発明に係るパチンコゲーム機用球還元機を備えている、
パチンコゲーム機である。
【０００９】
（削除）
【００１０】
（削除）
【００１１】
（削除）
【００１２】
（削除）
【００１３】
（削除）
【００１４】
（削除）
【００１５】
（作  用）
本発明に係るパチンコゲーム機用球還元機及びそれを備えたパチンコゲーム機の作用を説明する。なお、ここでは本発明の各構成要件のそれぞれに、後述する実施の形態において各部に付与した符号を対応させて付与して説明するが、この符号の付与はあくまで説明の理解を容易にするためであって各構成要件の前記各部への限定を意味するものではない。
【００１６】
本発明に係るパチンコゲーム機用球還元機(K)を備えたパチンコゲーム機によれば、アウト球（入賞せず回収される球）や大当たりによって払い出された球は、パチンコ台(1)の排出口(10)から出てまたは落下して出て、パチンコゲーム機用球還元機(K)の球回収部(34)で回収される。そして球回収部(34)で回収された球は、球揚げ手段(4)によって背面上部側に設けてある球補給部(11)に揚げられる。
【発明の効果】
【００１７】
本発明は前記構成を備え、次の効果を有する。
従来のパチンコゲーム機に設けられていた球の循環通路等がパチンコ台の表側に表れたりしないので、外観が良好である。
【００１８】
（削除）
【００１９】
（削除）
【００２０】
球回収部が、排出口から出る球または落下して出る球を受ける球受部を備えているので、例えば、パチンコ台の種類によって排出口の位置が変わる場合でも、その排出口の設置位置に合うよう動かして対応させることが可能である。
【００２１】
回収した球を整列させて球揚げ手段に送る球整列部を備えているので、球整列部によって球を整列させることができるので、球を送る途中にて球が詰まり難い。
【００２２】
回収された球によって球揚げ手段を作動させるスイッチ手段を備えているので、遊戯中のときだけ球揚げ手段を作動させることができる。
【発明を実施するための最良の形態】
【００２３】
本発明の実施の形態を図面に基づき更に詳細に説明する。
図１は本発明に係るパチンコゲーム機の一実施の形態を示しており、筐体に取り付けられたパチンコ台が前方に開かれた状態を示す斜視説明図、
図２はパチンコゲーム機の縦断面説明図、
図３は筐体内に設置される球還元機を示す斜視説明図、
図４は図３に示す球還元機の正面図、
図５は図３に示す球還元機の平面図、
図６は図５に示す球還元機のＡ−Ａ断面図、
図７は図５に示す球還元機のＢ−Ｂ断面図、
図８は図５に示す球還元機のＣ−Ｃ断面図である。
【００２４】
符号Ｐはパチンコゲーム機を示している。パチンコゲーム機Ｐは、遊技機であるパチンコ台１と、パチンコ台１を取り付けるための遊技機設置用設備である筐体２を備えている。
【００２５】
パチンコ台１は、パチンコ店にて用いられる市販のものを使用している。パチンコ台１には、球を排出するための排出口１０が形成してある。排出口１０は、アウト球や大当たりによって払い出される球が排出される位置に、下面側から穴を開けることによって形成してある。従って、球は下皿１２には行かず、排出口１０から排出される。なお、符号１１で示すパチンコ台１の背面側に設けられた部分は、球を貯留しておくための球補給部である。
【００２６】
筐体２は、パチンコ台１が遊園地やゲームセンター等に設置できるようにするためのものであり、所要高さの位置に前面全体が開口した空間部２０を備えるよう形成してある。
パチンコ台１は、空間部２０の開口部を塞ぐように開口縁部である一方の縦縁部に、蝶番（図では見えない）を介して水平方向に回動可能に取り付けてある（図１参照）。筐体２の空間部２０内には、排出口１０から出た球を回収して球補給部１１に揚げるためのパチンコゲーム機用球還元機である球還元機Ｋが設置してある。
【００２７】
主として図３ないし図８を参照して、球還元機Ｋの構造について詳述する。
球還元機Ｋは、四面に壁部を立設して箱形状に形成してあるケース本体３と、球揚げ手段である球揚げ機構部４を備えて構成してある。詳しくはケース本体３は、壁部３０，３１と、これより横幅の短い幅狭の壁部３２，３３をそれぞれ対向するように組み立てることで外形が形作ってある。球揚げ機構部４は、幅狭の壁部３３の外面に設けてある。
【００２８】
ケース本体３の上部には、球を回収するための球回収部３４が設けてある。球回収部３４は、パチンコ台１の排出口１０から落下して出た球を受ける球受部である可動球受部３５と、可動球受部３５で受けた球を貯留する球貯留部３４３を備えている。
【００２９】
球貯留部３４３は、長方形状の薄板の両端側を曲げて取付部３４０，３４０を形成し、その間に水平状の水平部３４１が設けられるよう形成してある。この水平部３４１は、球貯留部３４３をケース本体３の上部に取り付けたときに、壁部３０の内面との間に球が通過可能な隙間３８がつくられるよう、横幅が壁部３２，３３よりやや幅狭に形成してある。
【００３０】
水平部３４１の上面上には案内壁３４２が立設してあり、球が水平部３４１の上を転がって壁部３０寄りの壁部３２側に集められるようにしてある。球貯留部３４３は、取付部３４０，３４０をそれぞれ壁部３２，３３上にそれぞれ載せることでケース本体３に着脱可能に取り付けてある。
【００３１】
ケース本体３を構成する壁部３１の上縁側には、球貯留部３４３がケース本体３に取り付けられた状態のときに、水平部３４１と略面一になるよう切欠部３１０が切り欠いて形成してある。可動球受部３５は、この切欠部３１０から前方に延出するようケース本体３に設けてある。
【００３２】
可動球受部３５は、長方形状の平面部３５０を備え、その周りの三縁部に壁部３５１，３５２，３５３を折り曲げて形成したものであり、壁部３５１，３５２，３５３がない残りの一縁部と、前記した水平部３４１及び切欠部３１０が連続した状態となるよう対応させた状態で取り付けてある。詳しくは、平面部３５０の裏面と壁部３１との間に蝶番Ｔ１，Ｔ１を介在させて、更に、切欠部３１０の両側にあたる壁部３１の外面に取着部材３１１，３１１を固着し、それぞれの取着部材３１１と対応する壁部３５２と壁部３５３に円弧状の貫通溝３５４を形成して、取着部材３１１と貫通溝３５４にボルトＢを貫通させてナットＮを螺合することで、可動球受部３５は壁部３１に対して角度の調節が可能なよう取り付けてある。なお、符号及び図示は省略したが、球貯留部３４３の水平部３４１と可動球受部３５の平面部３５０の表面上には、防音効果及び緩衝性を有する薄い合成樹脂製のシートが設けてある。
【００３３】
壁部３１、３２の下縁部は外側に折り曲げて固着部３１２、３２０が形成してある。球還元機Ｋは、固着部３１２、３２０に木ネジを貫通させて筐体２にねじ込むことで固定される。
【００３４】
図６、図７及び図８を参照する。
ケース本体３内の壁部３０側には、水平部３４１上を転がって隙間３８より落下した球を整列した状態で球揚げ機構部４に送ることができるようにする球整列部３６が設けてある。球整列部３６は、隙間３８から落ちた球を受ける可動案内部３６０と、可動案内部３６０を転がってきた球を受けて球揚げ機構部４に送る固定案内部３６１を備えている。
【００３５】
可動案内部３６０は、球の直径よりやや広い内幅を有するよう側壁３６２，３６２が対向して設けられた所要深さの樋状に形成してあり、蝶番Ｔ２を介して一端が壁部３２の内面に取り付けてある。可動案内部３６０の底部には、球が転がり易くするための滑り部材３６６が設けてある。滑り部材３６６は、長さ方向に延びて凹凸部が表面に形成された合成樹脂製の薄板で構成してあり、防音効果及び緩衝性も有している。
【００３６】
また、側壁３６２のうちケース本体３の内方側に配置されたものの上端部には、隙間３８から落ちた球が可動案内部３６０内に入るように案内する案内片３６３が全長にわたって形成してある。
【００３７】
可動案内部３６０の底部の下部側には、スイッチ手段であるスイッチ装置３７が壁部３０の内面に固定して設けてある。スイッチ装置３７は、常態でケース本体３７０より上方に突出しており、力が加えられたときに内方に引っ込むスイッチ部３７１を備えている。
可動案内部３６０は、スイッチ部３７１の上部が底部の裏面と当接した状態となるようスイッチ装置３７を下部側に設けて、このときに他端側が僅かに球揚げ機構部３１側に傾斜した状態となるよう設けられている。こうして可動案内部３６０に球が入り、球の重量によって下降してスイッチ部３７１が押される。
【００３８】
固定案内部３６１は、可動案内部３６０と同じように側壁３６４，３６４が対向して設けられた樋状に形成してあり、下降したときの可動案内部３６０の他端と略連続した状態となるよう球揚げ機構部４側に傾斜させて、壁部３３を貫通した状態となるよう固定部材３６５により壁部３０の内面に固定してある。
【００３９】
また、可動案内部３６０の上部側にあたる壁部３０の内面には、球が壁部３０に直接当たらないようにする緩衝部材３００が設けてある。緩衝部材３００は、表面に細かい凹凸部が形成された合成樹脂製の薄板で構成してあり、防音効果及び緩衝性も有している。
【００４０】
球揚げ機構部４は、モーター５を取り付けるモーター取着部４０と、内部に球揚げローター４１０が収容してある球揚げケース４１を備えている。
【００４１】
モーター取着部４０は、板状体を略直角に折り曲げて形成してあり、壁部３３の外面から垂直な平面部４００が突出して形成されるよう取り付けてある。モーター５は、回転軸５０が平面部４００を貫通して背面側に突出するよう平面部４００の正面側に取り付けてある。
【００４２】
球揚げケース４１は、球整列部３６から送られた球を取り込み、この球が内部に収容された球揚げローター４１０によって順次球補給部１１に揚げられるようにするものである。球揚げケース４１は、球の直径よりやや広い内幅を有するよう側壁４１１，４１２を対向して設け、その側壁４１１，４１２間に球揚げローター４１０を回転軸５０によって回転可能なように設けて、更に、この球揚げローター４１０の周りに幅壁４１３を側壁４１１，４１２間に設けることで構成してある。
【００４３】
球揚げケース４１の上部の端部には、球揚げローター４１０によって送られる球が通る案内筒部４１４が上方に突出して設けてある。案内筒部４１４には、他端が球補給部１１に繋がれた搬送管６の一端が連結される連結キャップ４３が設けてある。搬送管６は屈曲可能な可動部６０を有している。
【００４４】
球揚げローター４１０は、幅壁４１３の幅よりやや幅薄の厚みを有しており、周面には球を嵌合して搬送することができるよう略半円形状の嵌合凹部４１５が複数形成してある。
【００４５】
球揚げケース４１の幅壁４１３は、球揚げローター４１０の嵌合凹部４１５に球が嵌った状態で案内筒部４１４に送られるように、一部が球揚げローター４１０の周縁部に沿うよう円弧状に形成してあり、案内筒部４１４に続くよう設けてある。
【００４６】
幅壁４１３の固定案内部３６１側は、球が通過可能な程度の隙間が設けてあり、この部分には隙間を塞ぐように球の噛み込み防止のための逃げ部４１６が設けてある。逃げ部４１６は、板状の逃げ片４１７を備え、逃げ片４１７の一端を蝶番Ｔ３を介して壁部３３に取り付け、これがねじりコイルバネ４１８によって常態で幅壁４１３と僅かに重なって当接した状態を維持するよう付勢してある。
【００４７】
側壁４１１，４１２の球揚げローター４１０と対応する部分には、回転軸５０を中心とする円形の開口部４１９が形成されている。これにより作動時に球が嵌合凹部４１５に嵌って搬送されていることが確認できる。
モーター取着部４０と球揚げケース４１は、連結部４２で繋いで一体化してある。
【００４８】
球還元機Ｋは、パチンコ台１を筐体２に設けた状態において、排出口１０から落下した球を可動球受部３５で受けて回収することができ、かつ、搬送管６から送られた球を球補給部１１に入れることができるよう空間部２０に設置されている。
【００４９】
（作  用）
図１ないし図８を参照して本実施の形態で示すパチンコゲーム機の作用を説明する。
パチンコゲーム機Ｐは、主に遊園地やゲームセンター等に設置されるものである。パチンコゲーム機Ｐには予め所要量の球が内蔵してあり、後述するよう球はパチンコ台１を循環する（球は増減しない）。
【００５０】
パチンコゲーム機Ｐはパチンコ台１のハンドル１３を回すことにより動き出す。ハンドル１３を回すことにより球がパチンコ台１の盤面内に投入され、役物に入ったり、アウト球として回収される。
【００５１】
アウト球や大当たりによって払い出される球は、パチンコ台１の筐体２内に収容された部分の下面側に形成された排出口１０から出て可動球受部３５上に落下する。可動球受部３５の表面上にはシートが設けてあるので、球が可動球受部３５に当たったときの音が軽減でき、跳ね返りも防止できる。
可動球受部３５は、ナットＮを緩めることによって角度の調整が可能であり、パチンコ台１の種類によって位置を変えることが可能である。
【００５２】
可動球受部３５上に落下した球は、球貯留部３４３の水平部３４１上に貯留されながら転がり、案内壁３４２によって壁部３０寄りの壁部３２側に集められて、隙間３８を通って可動案内部３６０内に入る。こうして可動案内部３６０が球の重量によって下降し、スイッチ部３７１が押される。
【００５３】
スイッチ装置３７は、スイッチ部３７１が押されることによってモーター５が作動するよう設定してあり、球が可動案内部３６０内に入ることによって球揚げローター４１０が回転し始める。つまり、パチンコ台１が遊戯中のときだけモーター５及び球揚げローター４１０は作動する。球揚げローター４１０は図６及び図７で示す状態で半時計回り方向に回転する。
【００５４】
可動案内部３６０内に入った球は、前記したようにスイッチ部３７１を押すと共に固定案内部３６１によって案内されて、壁部３３を通り抜けて球揚げ機構部４の球揚げケース４１内に入る。可動案内部３６０、固定案内部３６１及び球揚げケース４１は、内部の球が通る部分が球の直径よりやや広い内幅を有するよう形成してあるので、球を整列した状態で球揚げローター４１０に送ることができ、球が詰まり難くできる。
【００５５】
球揚げケース４１内に入った球は、球揚げローター４１０が回転していることにより、各嵌合凹部４１５に一つずつ嵌って幅壁４１３と挟まれた状態で案内筒部４１４側に搬送される。こうして球は順次案内筒部４１４に搬送され、これと接続してある搬送管６及びその可動部６０を通って球補給部１１に送られる。このようにして球は遊戯時においてパチンコ台１を循環する。
【００５６】
球揚げケース４１には逃げ部４１６が設けてあるので、球がうまく嵌合凹部４１５に嵌らず球揚げローター４１０と噛み合いそうになった場合では、逃げ片４１７が球揚げローター４１０によって押されて蝶番Ｔ３を中心として下方に回動する。こうして噛み合いそうになった球は球揚げローター４１０から逃げることができ、球揚げローター４１０を止めないようにできる。なお、逃げ片４１７は、ねじりコイルバネ４１８によって再び幅壁４１３と重なって当接した状態に復帰する。
【００５７】
パチンコ台１の排出口１０から球が出なくなり、可動案内部３６０内の球が少なくなると、可動案内部３６０はスイッチ部３７１によって押し上げられて回動し再び元の状態に復帰する。こうしてモーター５及び球揚げローター４１０も停止する。
【００５８】
パチンコゲーム機Ｐは、従来のパチンコゲーム機に設けられていた球の循環通路等がパチンコ台１の表側に表れたりしないので、外観が良好である。
【００５９】
パチンコゲーム機Ｐは、パチンコ台１に対しては、アウト球や大当たりによって払い出される球が排出される位置に排出口１０を形成するだけで良く、また、排出口１０と可動球受部３５及び、球補給部１１と搬送管６が繋がれていないので、球還元機Ｋもパチンコ台１と無関係に前以て製作できる。しかも球還元機Ｋは、パチンコ台１の排出口１０から落下する球が可動球受部３５で回収でき、かつ、搬送管６から送られた球が球補給部１１に送られるよう空間部２０内に設置するだけで良いので、パチンコ台１と球還元機Ｋは別々に簡単に設置することができる。従って、パチンコゲーム機Ｐでは、製作後にパチンコ台１を別機種に取り替えて新装するといったことも簡単である。
【００６０】
パチンコゲーム機Ｐでは、パチンコ台１の排出口１０から落下する球を可動球受部３５で受けて回収するよう構成してあり、排出口１０と可動球受部３５及び、球補給部１１と搬送管６が機械的に繋がれていないので、その間で詰まりが発生することもない。
【００６１】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００６２】
【図１】本発明に係るパチンコゲーム機の一実施の形態を示しており、筐体に取り付けられたパチンコ台が前方に開かれた状態を示す斜視説明図。
【図２】パチンコゲーム機の縦断面説明図。
【図３】筐体内に設置される球還元機を示す斜視説明図。
【図４】図３に示す球還元機の正面図。
【図５】図３に示す球還元機の平面図。
【図６】図５に示す球還元機のＡ−Ａ断面図。
【図７】図５に示す球還元機のＢ−Ｂ断面図。
【図８】図５に示す球還元機のＣ−Ｃ断面図。
【符号の説明】
【００６３】
Ｐ  パチンコゲーム機
Ｋ  球還元機
Ｂ  ボルト
Ｎ  ナット
Ｔ１，Ｔ２，Ｔ３  蝶番
１  パチンコ台
１０  排出口
１１  球補給部
１２  下皿
１３  ハンドル
２  筐体
２０  空間部
３  ケース本体
３０，３１，３２，３３  壁部
３００  緩衝部材
３１０  切欠部
３１１  取着部材
３１２  固着部
３４  球回収部
３４０  取付部
３４１  水平部
３４２  案内壁
３５  可動球受部
３５０  平面部
３５１，３５２，３５３  壁部
３５４  貫通溝
３６  球整列部
３６０ 可動案内部
３６１ 固定案内部
３６２ 側壁
３６３ 案内片
３６４  側壁
３６５  固定部材
３７  スイッチ装置
３７０  ケース本体
３７１  スイッチ部
３８  隙間
４  球揚げ機構部
４００  平面部
４０  モーター取着部
４１  球揚げケース
４１０  ローター
４１１，４１２  側壁
４１３  幅壁
４１４  案内筒部
４１５  嵌合凹部
４１６  逃げ部
４１７  逃げ片
４１８  ねじりコイルバネ
４１９  開口部
４２  連結部
４３  連結キャップ
５  モーター
５０  回転軸
６  搬送管
６０  可動部
【図１】
0004579105.tif 000002
【図２】
0004579105.tif 000003
【図３】
0004579105.tif 000004
【図４】
0004579105.tif 000005
【図５】
0004579105.tif 000006
【図６】
0004579105.tif 000007
【図７】
0004579105.tif 000008
【図８】
0004579105.tif 000009